(57)【要約】【課題】  マイクロホンケースと出力ケーブル側の接続プラグとの接続部における高周波インピーダンスを低減させ、電磁波によるノイズ発生を防止する。【解決手段】  出力コネクタ２０のコネクタ収納部１３を有するマイクロホンケース１０と、平衡シールドケーブル４０に設けられコネクタ収納部１３内に差し込まれる接続プラグ４１とを含み、接続プラグ４１の差込部４２にコネクタ収納部１３の内面に接触してマイクロホンケースと電気的に接続される接地用の外輪４４が設けられているコンデンサマイクロホンにおいて、出力コネクタ２０の台座２１の外面に、湾曲部を有し花弁状に配列された複数の接触子３２を含み、無負荷状態ではコネクタ収納部１３の内径よりも小径で差込部４２がコネクタ収納部１３内に差し込まれる際、外輪４４に接触するとともに、その押圧力によって拡径して各接触子３２の自由端側がコネクタ収納部１３の内面と電気的に接続されるリング状の接続金具３０を配置する。【選択図】  図１
2006140656.tif 000002
【特許請求の範囲】
【請求項１】
金属の円筒体よりなり一端側にコネクタ収納部を備えるマイクロホンケースと、電気絶縁性の台座に貫設された３つのピンを有し上記コネクタ収納部内に装着される３ピン出力コネクタと、平衡シールドケーブルに設けられ上記コネクタ収納部内に差し込まれた状態で上記３ピン出力コネクタと接続される接続プラグとを含み、上記接続プラグの円筒状の差込部に、上記平衡シールドケーブルのシールド被覆線と電気的に接続されていて上記コネクタ収納部の内面に接触して上記マイクロホンケースと電気的に接続される金属製の外輪が設けられているコンデンサマイクロホンにおいて、
上記３ピン出力コネクタの上記台座の外面に沿って板バネ材よりなるリング状の接続金具が配置されており、上記接続金具は、少なくとも一部分に湾曲部を有して花弁状に配列された複数の接触子を含み、無負荷状態では上記コネクタ収納部の内径よりも小径で、上記差込部が上記コネクタ収納部内に差し込まれる際、上記外輪に接触するとともに、その押圧力によって拡径して上記各接触子の自由端側が上記コネクタ収納部の内面と電気的に接続されることを特徴とするコンデンサマイクロホン。
【請求項２】
上記各接触子は、その自由端側に半円状の湾曲部を備えている請求項１に記載のコンデンサマイクロホン。
【請求項３】
上記各接触子は、その全体が所定の曲率をもって湾曲するように形成されている請求項２に記載のコンデンサマイクロホン。
【発明の詳細な説明】
【技術分野】
【０００１】
本発明はコンデンサマイクロホンに関し、さらに詳しく言えば、そのマイクロホンケースのシールド技術に関するものである。
【背景技術】
【０００２】
コンデンサマイクロホンは、振動板と固定極とを対向的に配置してなるマイクロホンユニットを備えているが、そのマイクロホンユニットのインピーダンスがきわめて高いことから、インピーダンス変換器を内蔵している。インピーダンス変換器には、通常、ＦＥＴ（電界効果トランジスタ）が用いられるが、希に真空管が用いられることがある。
【０００３】
コンデンサマイクロホンの音声出力用の電子回路は基板に実装された状態で金属の円筒体よりなるマイクロホンケース内に収納される。通常、マイクロホンケースの一端にはコネクタ収納部が設けられており、そのコネクタ収納部内にＥＩＡＪ  ＲＣ５２３６〔音響機器用ラッチロック式丸型コネクタ〕で規定される３ピンタイプの出力コネクタ（３ピン出力コネクタ）が装着されている。
【０００４】
マイクホン使用時、この出力コネクタは、その相手方である接続プラグを有する出力ケーブル（平衡シールドケーブル）を介してファントム電源と接続される。上記接続プラグには出力コネクタの３ピン（接地，信号のホット側，信号のコールド側）に対応する３つの雌コンタクトのほかに、シールド被覆線と接続された金属製の外輪を備え、この外輪はコネクタ収納部内に差し込まれる際、その内面に接触してマイクロホンケースと電気的に接続される。
【０００５】
ところで、例えば携帯電話機などから放射される強い電磁波がマイクロホンや出力ケーブルに加えられると、その電磁波が出力ケーブルを伝わり出力コネクタを介してマイクロホン内に入り込み、インピーダンス変換器にて復調され可聴周波数の雑音としてマイクロホンから出力されてしまうことがある。
【０００６】
これを防止すべく、上記出力コネクタが備えている３ピンのうちの接地用１番ピンをマイクロホンケースに接続するとともに、出力ケーブルのシールド被覆線と接続された接続プラグの外輪をマイクロホンケースの内面（コネクタ収納部の内面）に接触させて電気的に接続することにより、マイクロホンケースにシールド機能を持たせるようにしている。
【発明の開示】
【発明が解決しようとする課題】
【０００７】
しかしながら、コネクタ収納部と接続プラグの外輪は円筒状の雌雄嵌合であることから接触は点接触であり、この点接触部が高周波的にインピーダンスを持ちシールドが不完全となる。また、コネクタ収納部と接続プラグの外輪との間に寸法誤差などによるガタツキがあると接触点が定まらずシールドが不安定となる。このような、シールドの不完全，不安定さが電磁波によるノイズの発生をもたらす。また、嵌合部のガタツキにより振動雑音が発生する。
【０００８】
したがって、本発明の課題は、マイクロホンケースと出力ケーブル側の接続プラグの外輪との接続部における高周波インピーダンスを低減させマイクロホンケースに安定したシールド機能を持たせることにより、電磁波によるノイズ発生を防止することにある。
【課題を解決するための手段】
【０００９】
上記課題を解決するため、本発明は、金属の円筒体よりなり一端側にコネクタ収納部を備えるマイクロホンケースと、電気絶縁性の台座に貫設された３つのピンを有し上記コネクタ収納部内に装着される３ピン出力コネクタと、平衡シールドケーブルに設けられ上記コネクタ収納部内に差し込まれた状態で上記３ピン出力コネクタと接続される接続プラグとを含み、上記接続プラグの円筒状の差込部に、上記平衡シールドケーブルのシールド被覆線と電気的に接続されていて上記コネクタ収納部の内面に接触して上記マイクロホンケースと電気的に接続される金属製の外輪が設けられているコンデンサマイクロホンにおいて、上記３ピン出力コネクタの上記台座の外面に沿って板バネ材よりなるリング状の接続金具が配置されており、上記接続金具は、少なくとも一部分に湾曲部を有して花弁状に配列された複数の接触子を含み、無負荷状態では上記コネクタ収納部の内径よりも小径で、上記差込部が上記コネクタ収納部内に差し込まれる際、上記外輪に接触するとともに、その押圧力によって拡径して上記各接触子の自由端側が上記コネクタ収納部の内面と電気的に接続されることを特徴としている。
【００１０】
本発明には、好ましい態様として、上記各接触子はその自由端側に半円状の湾曲部を備えている態様と、上記各接触子はその全体が所定の曲率をもって湾曲するように形成されている態様とが含まれる。
【発明の効果】
【００１１】
本発明によれば、接続プラグをコネクタ収納部内に差し込むと、その差込部の外輪が板バネ材よりなるリング状の接続金具の各接触子に接触するとともに、各接触子が広げられてコネクタ収納部の内面と電気的に導通するため、マイクロホンケースと接続プラグの外輪とがより広い面積でしかもガタツキなく接触することになる。
【００１２】
したがって、その接続部における高周波インピーダンスが低減され、マイクロホンケースのシールド機能が安定したものとなり、電磁波によるノイズ発生を効果的に防止することができ、また、振動雑音も低減することができる。さらに、リング状の接続金具は、無負荷状態ではコネクタ収納部の内径よりも小径であるため、既存のコンデンサマイクロホンにもそのまま適用することができる。
【発明を実施するための最良の形態】
【００１３】
次に、図１ないし図３により、本発明の実施形態について説明するが、本発明はこれに限定されるものではない。図１は本発明のコンデンサマイクロホンが備えるマイクロホンケースと出力ケーブル側の接続プラグとを分離して示す断面図、図２（ａ）はマイクロホンケースに設けられる接続金具を示す正面図，図２（ｂ）はその断面図，図２（ｃ）は変形例に係る接続金具を示す断面図、図３はマイクロホンケースと接続プラグの接続状態を示す断面図である。
【００１４】
図１に示すマイクロホンケース１０は、グースネック型マイクロホンやタイピン型マイクロホンなどのように、コンデンサマイクロホンユニットと音声出力モジュール部とがマイクケーブルを介して接続される分離型コンデンサマイクロホンの音声出力モジュール部に用いられるマイクロホンケースである。
【００１５】
なお、コンデンサマイクロホンユニットは公知のものであってよいため、ここでは図示が省略されている。また、上記音声出力モジュール部にはコンデンサマイクロホンユニットに対する成極電源供給回路が設けられることから、上記音声出力モジュール部はパワーモジュール部と呼ばれることもある。
【００１６】
マイクロホンケース１０は、例えば亜鉛もしくはアルミニウムなどの鋳造（ダイカスト）によって形成された円筒体からなり、その内部には音声出力回路や成極電源供給回路などが実装された基板１１が収納される。基板１１にはマイクロホンケース１０内に引き込まれる図示しないマイクケーブルがハンダ付けされ、マイクロホンケース１０の一端側には、そのマイクケーブルのためのコードブッシュ１２が取り付けられている。
【００１７】
マイクロホンケース１０の他端側はコネクタ収納部１３となっていて、その内部に出力コネクタ２０が装着される。出力コネクタ２０には、ＥＩＡＪ  ＲＣ５２３６〔音響機器用ラッチロック式丸型コネクタ〕で規定される３ピン出力コネクタが用いられる。
【００１８】
この出力コネクタ２０は、合成樹脂製の台座２１に貫設された接地用の１番ピン，信号のホット側の２番ピン，信号のコールド側の３番ピンの３本のピンを備えているが、図１は断面図であるため、そのうちの２ピンしか示されていない。断面で示されているピンが接地用の１番ピン２２で、この１番ピン２２は図示しない金属導体板を介してマイクロホンケース１０と導通される。なお、出力コネクタ２０は台座２１内に設けられている固定ネジ２３によってコネクタ収納部１３内に強固に固定される。
【００１９】
このコンデンサマイクロホンを使用する際、出力コネクタ２０は平衡シールドケーブルからなる出力ケーブル４０を介して図示しないファントム電源と接続される。そのため、出力ケーブル４０には出力コネクタ２０に対して着脱可能な接続プラグ４１が設けられている。
【００２０】
接続プラグ４１は、コネクタ収納部１３内に差し込まれる円筒状の差込部４２を有し、図示されていないが、この差込部４２内には出力コネクタ２０の３ピンに対応する３つの雌コンタクトが配置されている。また、差込部４２の外周部分には出力ケーブルの図示しないシールド被覆線と電気的に接続された金属製の外輪４４が設けられている。詳しくは図示されていないが、外輪４４の端部は差込部４２の端面４２ａ側に回り込むように折り曲げられている。
【００２１】
また、この接続プラグ４１はラッチロック式であることから、ノブ４３ａによって操作される係止爪４３ｂを備え、コネクタ収納部１３側には、その相手方となる係止孔１３ａが穿設されている。係止爪４３ｂは図示しないバネ手段にて常時突出方向に付勢されており、差込部４２をコネクタ収納部１３内に差し込むことにより、自動的に係止孔１３ａ内に係止し、ノブ４３ａを押すことによりその係止状態を解くことができる。
【００２２】
上記のように、接続プラグ４１の差込部４２をコネクタ収納部１３内に差し込むことにより、３つのピンと３つの雌コンタクトとが接続され、また、外輪４４がコネクタ収納部１３の内面と接触してマイクロホンケース１０にシールド機能が付与されるが、本発明においては、その接触部分における高周波インピーダンスを低減するとともにガタツキをなくすため、コネクタ収納部１３内にリング状の接続金具３０が設けられる。
【００２３】
この接続金具３０は、図２（ａ）の正面図に示すように、基部リング３１と、基部リング３１の外周縁に沿って花弁状に配列された複数の接触子３２とを含み、これらはリン青銅などの板バネ材により一体に形成されている。
【００２４】
基部リング３１の内径は、出力コネクタ２０の３つのピンのいずれにも接触しない大きさである。図２（ｂ）の断面図に示すように、各接触子３２は、その自由端側に同一方向に突出する半円状の湾曲部３２ａを備えている。この湾曲部３２ａは、差込部４２の端面４２ａ側に回り込んでいる外輪４２の端部と対向する位置に配置される。
【００２５】
各接触子３２の自由端を含む径が接続金具３０の外径となるが、この外径の寸法は固定ではない。すなわち、接続金具３０の外径は、無負荷状態（自然状態）ではコネクタ収納部１３の内径よりも小さいが、湾曲部３２ａが押し潰されることにより拡径し各接触子３２の自由端側がコネクタ収納部１３の内面と接触する。したがって、この接続金具３０は組立後のマイクロホン（既存のマイクロホン）のコネクタ収納部１３内にも入れることができる。
【００２６】
図１において、出力コネクタ２０が備える台座２１の右側の面（コネクタ収納部１３側の面）を外面２１ａとして、接続金具３０は、湾曲部３２ａが接続プラグ４１側を向くようにして台座２１の外面２１ａに取り付けられる。
【００２７】
この取り付け時において、必ずしもすべての接触子３２がコネクタ収納部１３の内面に対して非接触状態とする必要はなく、一部の接触子３２がコネクタ収納部１３の内面に接触していてもよい。なお、接続金具３０の固定方法は接着材などであってよい。
【００２８】
図３に示すように、接続プラグ４１の差込部４２をコネクタ収納部１３内に差し込み、その係止爪４３ｂを係止孔１３ａにロックさせると、各接触子３２の湾曲部３２ａが差込部４２の端面４２ａ側に回り込んでいる外輪４２の端部と接触するとともに、その押圧力によって押し潰されるように弾性変形するため、各接触子３２の自由端が広げられてコネクタ収納部１３の内面と接触する。
【００２９】
これにより、差込部４２の外輪４４とコネクタ収納部１３との電気的な接続が確実なものとなり、接触部分における高周波インピーダンスが低減される。また、湾曲部３２ａの反作用力によって差込部４２がコネクタ収納部１３内に強固に固定されガタツキが発生することもなくなり、振動雑音の問題も解消される。
【００３０】
変形例として、図２（ｃ）に示すように、接続金具３０の各接触子３２を基部リング３１側から自由端側にかけて、接触子３２の全体を所定の曲率をもって湾曲させるようにしてもよい。この場合にも、接触子３２の湾曲された凹面側が接続プラグ４１側を向くようにして接続金具３０を出力コネクタ２０の台座２１に取り付ける。
【００３１】
この変形例によれば、接続金具３０の各接触子３２の凹面側が差込部４２の外輪４４の角部に接触するとともに、差込部４２の押圧力によって押し広げられてコネクタ収納部１３の内面に接触するため、上記した例と同様の効果が得られる。なお、この変形例による場合には、接触子３２の自由端がコネクタ収納部１３の内面にかじり付かないようにするため、その自由端に例えば丸みなどを持たせることが好ましい。
【００３２】
以上、コンデンサマイクロホンユニットと出力モジュール部とがマイクコードによって接続される分離型コンデンサマイクロホンを例にして本発明を説明したが、出力ケーブル（平衡シールドケーブル）側の接続プラグと接続される３ピン出力コネクタを有するマイクロホンケースを有するコンデンサマイクロホン、例えばマイクグリップとして使用されるマイクロホンケースを有する手持ち用の一体型コンデンサマイクロホンも本発明に含まれる。
【図面の簡単な説明】
【００３３】
【図１】本発明のコンデンサマイクロホンが備えるマイクロホンケースと出力ケーブル側の接続プラグとを分離して示す断面図。
【図２】（ａ）マイクロホンケースに設けられる接続金具を示す正面図，（ｂ）その断面図，（ｃ）変形例に係る接続金具を示す断面図。
【図３】上記マイクロホンケースと接続プラグの接続状態を示す断面図。
【符号の説明】
【００３４】
１０  マイクロホンケース
１１  基板
１３  コネクタ収納部
１３ａ  係止孔
２０  出力コネクタ
２１  台座
３０  接続金具
３１  基部リング
３２  接触子
３２ａ  湾曲部
４０  出力ケーブル（平衡シールドケーブル）
４１  接続プラグ
４２  差込部
４３ａ  ノブ
４３ｂ  係止爪
４４  外輪
【図１】
2006140656.tif 000003
【図２】
2006140656.tif 000004
【図３】
2006140656.tif 000005